【事件の表示】
　特許第３０９４２５３号「フォーカルプレーンシャッタ及びその駆動方法」の請求項１ないし４に係る特許に対する特許異議の申立てについて、次のとおり決定する。
【結　論】
　訂正を認める。
　特許第３０９４２５３号の請求項に係る特許を維持する。
【理　由】
１．手続の経緯
　本件特許第３０９４２５３号の発明は、平成４年３月１１日に特許出願され、平成１２年８月４日にその特許の設定登録がなされたものであり、その後、日本電産コパル株式会社より特許異議の申立がなされ、取消理由通知がなされ、特許異議意見書とともに訂正請求書が提出された。
２．訂正の適否についての判断
（１）［訂正の内容］
　訂正請求書による訂正事項は次のとおりである。
　ａ．特許請求の範囲の請求項１を
「シャッタレリーズ信号により作動してシャッタ開口を開放する開放シャッタ羽根と、前記開放シャンタ羽根を駆動する開放バネと、前記シャッタ羽根の開放作動後にシャッタ開口を閉鎖する閉鎖シャッタ羽根と、前記閉鎖シャッタ羽根を駆動する閉鎖バネとを備えたフオーカルプレーンシャッタの各シャッタ羽根を駆動する方法において、
　露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したことを特徴とするフオーカルプレーンシャッタの駆動方法。」と訂正し、
　ｂ．特許請求の範囲の請求項４を
「シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフオーカルプレーンシャッタにおいて、
　露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したことを特徴とするフオーカルプレーンシャッタ。」
と訂正する。
　ｃ．明細書の段落番号【００１０】の記載を
「【課題を解決するための手段】
　このような目的を達成する本発明のフォーカルプレーンシャッタの駆動方法は、シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフォーカルプレーンシャッタの各シャッタ羽根を駆動する方法において、露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したものであり、好適な態様においては、前記開放シャッタ羽根は、露出開始位置近傍では前記閉鎖シャッタ羽根の閉鎖速度よりも走行速度が遅く、露出終了位置近傍では前記閉鎖シャッタ羽根の閉鎖速度よりも走行速度が早く制御されるものであり、他の好適な態様においては露出開始時の前記シャッタ開放羽根の作動開始時期と、露出開始時の前記閉鎖シャッタ羽根の作動開始時期との間隔を制御するパルス時間を所望露出時間よりも短く設定するものである。」と訂正し、
　ｄ．明細書の段落番号【００１１】の記載を
「また本発明のフォーカルプレーンシャッタは、シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフオーカルプレーンシャッタおいて、露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したものである。」と訂正し、
　ｅ．明細書の段落番号【００３１】の記載を
「【発明の効果】
　以上の実施例からも明らかなように、本発明によれば、開放シャッタ羽根と閉鎖シャッタ羽根のシャッタ開口に対する始動位置を異ならせるとともにそれぞれがシャッタ開口を通過する速度を同じにし、かつ露出作動中期に比して露出作動初期及び終期の露出時間を長くしたので、レンズを通して撮影した場合でも周辺への露光不足がなく、露光の均一性を図ることができる。」と訂正し、
　ｆ．明細書の段落番号【００３２】の「作動中期」を「露出作動中期」と訂正する。
　ｇ．明細書の段落番号【００２７】、【００２８】、【００２９】中、「作動中期」を「露出作動中期」と訂正するとともに、「作動初期及び終期」を「露出作動初期及び終期」と訂正する。
（２）［訂正の範囲の適否、拡張・変更の存否］ 
　上記訂正事項ａ、ｂは、「開放シャッタ羽根を駆動する開放バネ」、「閉鎖シャッタ羽根を駆動する閉鎖バネ」という限定を付加すると共に、シャッタ開口内を走行する各羽根の走行について「露出作動初期及び終期の露出時間が露出作動中期の露出時間よりも長くなるように前記閉鎖バネおよび前記開放バネのばね力を調整」という構成要件を付加したもので、特許請求の範囲の減縮に相当するものである。
　上記訂正事項ｃ、ｄは、請求項１および請求項４に係る上記訂正事項ａ、ｂと発明の詳細な説明の記載との整合を図るために適合させて訂正しようとするものであって、明瞭でない記載の釈明に相当するものである。
　上記訂正事項ｅ、ｆ、ｇは、本件発明の請求項１、４の補正に伴い、明瞭でない記載の釈明を目的としてなされた補正である。
　したがって、本件訂正事項ａ〜ｇは特許明細書に記載した事項の範囲内においてするものであり、新規事項の追加に該当しない。
　また、本件訂正事項ａ〜ｇは、実質上特許請求の範囲を拡張・変更するものではない。
（３）［結び］
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法１２６条第１項ただし書き、第２項の規定に適合するので、本件訂正を認める。
３．特許異議の申立について
（１）［申立の理由の概要］
特許異議申立人日本電産コパル株式会社は、甲第１号証（実公平６−２６８９５号公報）、甲第２号証（特開平４−７０６３５号公報）、甲第３号証（実願昭５１−５９６０号（実開昭５９−９８４３９号）のマイクロフィルム）、甲第４号証（実公昭６２−３９３７４号公報）を提出し、請求項１乃至４に係る発明の特許は特許法第２９条第２項の規定に違反してなされたものであり、特許を取り消すべき旨主張している。
（２）［本件発明］
　特許第３０９４２５３号の請求項１乃至４に係る発明（以下、それぞれ「本件発明１乃至４」という。）は、平成１３年８月１７日付けの訂正明細書の特許請求の範囲の請求項１乃至４に記載された事項により特定される次のとおりのものである。
　【請求項１】　「シャッタレリーズ信号により作動してシャッタ開口を開放する開放シャッタ羽根と、前記開放シャンタ羽根を駆動する開放バネと、前記シャッタ羽根の開放作動後にシャッタ開口を閉鎖する閉鎖シャッタ羽根と、前記閉鎖シャッタ羽根を駆動する閉鎖バネとを備えたフオーカルプレーンシャッタの各シャッタ羽根を駆動する方法において、
　露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したことを特徴とするフオーカルプレーンシャッタの駆動方法。」、
　【請求項２】　前記開放シャッタ羽根は、露出開始位置近傍では前記閉鎖シャッタ羽根の閉鎖速度よりも走行速度が遅く、露出終了位置近傍では前記閉鎖シャッタ羽根の閉鎖速度よりも走行速度が早く制御されることを特徴とする請求項１記載のフォーカルプレーンシャッタの駆動方法。
　【請求項３】　露出開始時の前記シャッタ開放羽根の作動開始時期と、露出開始時の前記閉鎖シャッタ羽根の作動開始時期との間隔を制御するパルス時間を、所望露出時間よりも短く設定することを特徴とする請求項１記載のフォーカルプレーンシャッタの駆動方法。
　【請求項４】　「シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフオーカルプレーンシャッタにおいて、
　露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したことを特徴とするフオーカルプレーンシャッタ。」
（３）［本件発明１、２、４について］
［引用刊行物］
　当審が通知した取消しの理由に引用された刊行物は次のとおりである。
　刊行物１：実願昭６３−７９９８５号（実開昭２−１７３４号）のマイクロフィルム（甲第１号証に対応する刊行物）
　刊行物２：特開平４−７０６３５号公報（甲第２号証）
　刊行物３：実願昭５１−５９６０号（実開昭５２−９８４３９号）のマイクロフィルム（甲第３号証）
　刊行物１には、
　「電磁レリーズ方式のフォーカルプレーンシャッタでは両幕の駆動力源としては一般的にスプリングが使用されるとともに、マグネットによって走行部材が初期セット状態でホールドされ、先幕ホールド用のマグネット及び後幕ホールド用のマグネットが順次レリーズされて露出が行われる。」（第３頁第１１行〜第１７行）
　「第７図において点線で示されるカーブｂが調整前の後幕の走行特性とした場合にアパーチュアの中心位置Ａ２における有効露出時間はｔである。このアパーチュアの中心位置Ａ２における有効露出時間がＴになる様に秒時調整をする場合には、カーブｂ’に示されるように後幕のスタート位置をＬだけオフセットすればアパーチュアの中心位置Ａ２においては所望される露出秒時Ｔが得られる。
しかしながら、先幕及び後幕は基本的にスタート位置からの走行特性が実質的に等しくなる様に設計されているので、後幕のスタート位置をオフセットした場合にはアパーチュアの範囲内において先幕と後幕の走行特性の共通性がくずれることになり、所謂露出ムラが発生する。
例えば上記の例であれば、アパーチュアの上縁Ａ１付近における実効露出時間Ｔ’はアパーチュアの中心位置Ａ２における有効露出時間Ｔよりも長くなり、アパーチュアの下縁Ａ３付近における実効露出時間Ｔ”はアパーチュアの中心位置Ａ２における有効露出時間Ｔよりも短くなってしまう。」（第７頁第６行〜第８頁第６行）
　刊行物２には、
　「走行中のスリットの巾や形状の変動はシャッター秒時精度や秒時ムラに大きな影響を及ぼす訳であるが、これは先羽根２と後羽根２’のスタート位置が大きく関係することが知られている。」（第３頁左下欄第１１行〜第１４行）
　刊行物３には、
　「本考案は、カメラ用シャッタの駆動力調整装置に関する。
　一般に、個々の動力により作動される先羽根と後羽根とを有するシャッタにおいては、露出ムラを少なくすることが望ましく、両者の走行速度を等しくすることが望まれる。そのためには、両者の駆動力をそれぞれの特性に合わせて、調整することにより、各部材の製作誤差を含めて両者の走行速度を等しくするものである。」（第１頁第１９行〜第２頁第５行）
［対比・判断］
　本件発明１と、上記刊行物１記載の発明とを比較すると、本件発明１は、「シャッタ開口内を走行する各羽根の走行時間が略等しくかつ露出作動初期及び終期の露出時間が露出作動中期の露出時間よりも長くなるように前記閉鎖バネおよび前記開放バネのばね力を調整した」という構成であるのに対して、刊行物１記載の発明は、「アパーチュアの上縁Ａ１付近における実効露出時間Ｔ’はアパーチュアの中心位置Ａ２における有効露出時間Ｔよりも長くなり、アパーチュアの下縁Ａ３付近における実効露出時間Ｔ”はアパーチュアの中心位置Ａ２における有効露出時間Ｔよりも短くなってしまう。」という構成である点で相違する。
　そして、この相違点について、前記刊行物２、３には記載も示唆もなされていない。
　しかも本件発明１は、前記構成を有することにより、明細書記載の「レンズを通して撮影した場合でも周辺への露光不足がなく、露光の均一性を図ることができる」といった顕著な効果を奏するものと認められる。
　してみると、本件発明１は、刊行物１乃至刊行物３に記載された発明に基づき、当業者が容易に発明することができたとも認めることはできない。
　本件発明２は、本件発明１の構成要件を全て含み、さらに他の構成要件を付加したものに相当するから、本件発明１について説示したのと同様の理由により、刊行物１乃至３に記載した発明に基づいて当業者が容易に発明することができたものとすることができない。
　本件発明４は、本件発明１と同様に「シャッタ開口内を走行する各羽根の走行時間が略等しくかつ露出作動初期及び終期の露出時間が露出作動中期の露出時間よりも長くなるように前記閉鎖バネおよび前記開放バネのばね力を調整した」という構成を有しているから、本件発明１について説示したのと同様の理由により、刊行物１乃至３に記載した発明に基づいて当業者が容易に発明することができたものとすることができない。
　また、前記相違点に係る構成は、異議申立人の提出した他の証拠のいずれにも記載されていない。
　したがって、本件発明１、２、４は、異議申立人が提出した刊行物に記載された発明に基づいて当業者が容易に発明できたものでもないので、特許法第２９条第２項の規定にも違反してなされたものではない。
（４）［本件発明３について］
［引用刊行物］
　当審が通知した取消しの理由に引用された刊行物は次のとおりである。
　刊行物１：実願昭６３−７９９８５号（実開昭２−１７３４号）のマイクロフィルム（甲第１号証に対応する刊行物）
　刊行物２：特開平４−７０６３５号公報（甲第２号証）
　刊行物３：実願昭５１−５９６０号（実開昭５２−９８４３９号）のマイクロフィルム（甲第３号証）
　刊行物４：実公昭６２−３９３７４号公報（甲第４号証）
　刊行物４には、
　「例えば、シャッタ羽根の開閉時期の両方又はいずれかを電磁石装置によって電磁制御する様なタイプのフォーカルプレーンシャッタにおいては、電磁石装置に開き信号又は閉じ信号が入力してから実際にシャッタ羽根が走行を開始するまでに若干の遅れ（所謂「メカ遅れ」と一般に証されている）生じるので、正確なシャッタ秒時を得るためにいろいろな調整がなされている。この調整の主なものとしては、メカ遅れ分を見込んで電磁石装置への信号の入力が早めになる様に回路を構成することがあるが、」（第１頁右欄第４行〜第１４行）
が記載されている。
［対比・判断］
　本件発明３は、本件発明１の構成要件を全て含み、さらに他の構成要件を付加したものに相当し、「シャッタ開口内を走行する各羽根の走行時間が略等しくかつ露出作動初期及び終期の露出時間が露出作動中期の露出時間よりも長くなるように前記閉鎖バネおよび前記開放バネのばね力を調整した」という構成を有しているが、係る構成は刊行物４には記載も示唆もなされていないから、本件発明１について説示したのと同様の理由により、刊行物１乃至４に記載した発明に基づいて当業者が容易に発明することができたものとすることができない。
　また、係る点は、異議申立人の提出した他の証拠のいずれにも記載されていない。
　したがって、本件発明３は、異議申立人が提出した刊行物に記載された発明に基づいて当業者が容易に発明できたものでもないので、特許法第２９条第２項の規定にも違反してなされたものではない。
（５）［結び］
　以上のとおりであるから、特許異議申立ての理由および証拠によっては、本件の特許を取り消すことはできない。
　また、他に本件の特許を取り消すべき理由を発見しない。
　よって、結論のとおり決定する。
【異議決定日】
平成１３年９月１７日（２００１．９．１７）
【訂正の要旨】
訂正請求書による訂正事項は次のとおりである。
ａ．特許請求の範囲の請求項１を
「シャッタレリーズ信号により作動してシャッタ開口を開放する開放シャッタ羽根と、前記開放シャンタ羽根を駆動する開放バネと、前記シャッタ羽根の開放作動後にシャッタ開口を閉鎖する閉鎖シャッタ羽根と、前記閉鎖シャッタ羽根を駆動する閉鎖バネとを備えたフオーカルプレーンシャッタの各シャッタ羽根を駆動する方法において、
　露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したことを特徴とするフオーカルプレーンシャッタの駆動方法。」と訂正し、
　ｂ．特許請求の範囲の請求項４を
「シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフオーカルプレーンシャッタにおいて、
　露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したことを特徴とするフオーカルプレーンシャッタ。」
と訂正する。
　ｃ．明細書の段落番号【００１０】の記載を
「【課題を解決するための手段】
　このような目的を達成する本発明のフォーカルプレーンシャッタの駆動方法は、シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフォーカルプレーンシャッタの各シャッタ羽根を駆動する方法において、露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したものであり、好適な態様においては、前記開放シャッタ羽根は、露出開始位置近傍では前記閉鎖シャッタ羽根の閉鎖速度よりも走行速度が遅く、露出終了位置近傍では前記閉鎖シャッタ羽根の閉鎖速度よりも走行速度が早く制御されるものであり、他の好適な態様においては露出開始時の前記シャッタ開放羽根の作動開始時期と、露出開始時の前記閉鎖シャッタ羽根の作動開始時期との間隔を制御するパルス時間を所望露出時間よりも短く設定するものである。」と訂正し、
　ｄ．明細書の段落番号【００１１】の記載を
「また本発明のフォーカルプレーンシャッタは、シャッタレリーズ信号により作動してシャッタ開口を開放する開放シャッタ羽根と、前記開放シャッタ羽根を駆動する開放バネと、前記開放シャッタ羽根の開放作動後にシャッタ開口を閉鎖する閉鎖シャッタ羽根と、前記閉鎖シャッタ羽根を駆動する閉鎖バネとを備えたフオーカルプレーンシャッタおいて、露出開始位置での前記開放シャッタ羽根の開放縁と前記シャッタ開口との距離を前記閉鎖シャッタ羽根の閉鎖縁と前記シャッタ開口との距離よりも短くすると共に、前記シャッタ開口内を走行する各羽根の走行時間が略等しくかつ露出作動初期及び終期の露出時間が露出作動中期の露出時間よりも長くなるように前記閉鎖バネおよび前記開放バネのばね力を調整したものである。」と訂正し、
　ｅ．明細書の段落番号【００３１】の記載を
「【発明の効果】
　以上の実施例からも明らかなように、本発明によれば、開放シャッタ羽根と閉鎖シャッタ羽根のシャッタ開口に対する始動位置を異ならせるとともにそれぞれがシャッタ開口を通過する速度を同じにし、かつ露出作動中期に比して露出作動初期及び終期の露出時間を長くしたので、レンズを通して撮影した場合でも周辺への露光不足がなく、露光の均一性を図ることができる。」と訂正し、
　ｆ．明細書の段落番号【００３２】の「作動中期」を「露出作動中期と訂正する。
　ｇ．明細書の段落番号【００２７】、【００２８】、【００２９】中、「作動中期」を「露出作動中期」と訂正するとともに、「作動初期及び終期」を「露出作動初期及び終期」と訂正する。
（５４）【発明の名称】
フォーカルプレーンシャッタ及びその駆動方法
（５７）【特許請求の範囲】
　【請求項１】　シャッタレリーズ信号により作動してシャッタ開口を開放する開放シャッタ羽根と、
前記開放シャッタ羽根を駆動する開放バネと、
前記閉鎖シャッタ羽根を駆動する開放バネと
　露出開始位置での前記開放シャッタ羽根の開放縁と前記シャッタ開口との距離を前記閉鎖シャッタ羽根の閉鎖縁と前記シャッタ開口との距離よりも短くすると共に
、
が
かつ露出作動初期及び終期の露出時間が露出作動中期の露出時間よりも長くなるように前記閉鎖バネおよび前記開放バネのばね力を調整
　【請求項２】　前記開放シャッタ羽根は、露出開始位置近傍では前記閉鎖シャッタ羽根の閉鎖速度よりも走行速度が遅く、露出終了位置近傍では前記閉鎖シャッタ羽根の閉鎖速度よりも走行速度が早く制御されることを特徴とする請求項１記載のフォーカルプレーンシャッタの駆動方法。
　【請求項３】　露出開始時の前記シャッタ開放羽根の作動開始時期と、露出開始時の前記閉鎖シャッタ羽根の作動開始時期との間隔を制御するパルス時間を、所望露出時間よりも短く設定することを特徴とする請求項１記載のフォーカルプレーンシャッタの駆動方法。
　【請求項４】　シャッタレリーズ信号により作動してシャッタ開口を開放する開放シャッタ羽根と、
前記開放シャッタ羽根を駆動する開放バネと、
前記閉鎖シャッタ羽根を駆動する開放バネと
　露出開始位置での前記開放シャッタ羽根の開放縁と前記シャッタ開口との距離を前記閉鎖シャッタ羽根の閉鎖縁と前記シャッタ開口との距離よりも短くすると共に
、
が
かつ露出作動初期及び終期の露出時間が露出作動中期の露出時間よりも長くなるように前記閉鎖バネおよび前記開放バネのばね力を調整
【発明の詳細な説明】
　【０００１】
　【産業上の利用分野】
　この発明は、カメラ用のフォーカルプレーンシャッタ及びその駆動方法に係り、特に露光量の均一性を図ったフォーカルプレーンシャッタの駆動方法に関する。
　【０００２】
　【従来の技術】
　周知のようにカメラのフォーカルプレーンシャッタは、１対の開放羽根と閉鎖羽根を備え、シャッタレリーズ信号により開放羽根がシャッタ開口を開放し、この開放縁によって露出が開始される。一方開放羽根の開放作動後に閉鎖羽根が作動し、その閉鎖縁によってシャッタ開口の露出を終了させるものである（特開平２−３０８２３１号）。
　【０００３】
　このようなフォーカルプレーンシャッタは図７に示すように、シャッタ開口１０３が形成された基板１０４と受け板１０５との間に収納された開放シャッタ羽根ユニット１０１と閉鎖シャッタ羽根ユニット１０２とから成り、これら１対のユニット１０１、１０２はカメラに装填されたフィルム１００の前であって、初期状態にあっては開放シャッタ羽根ユニット１０１は伸長されてシャッタ開口１０３からの光からフィルム１００を遮蔽している。一方、閉鎖シャッタ羽根ユニット１０２は収縮されてシャッタ開口１０３の側方に位置している。また、シャッタ作動時には、開放シャッタ羽根ユニット１０１が図中上方向へ移動して収縮すると、シャッタ速度に応じて所定時間経過後に閉鎖シャッタ羽根ユニット１０２は上方向へ移動して伸長する。
　【０００４】
　このとき、開放シャッタ羽根ユニット１０１の開放方向後端のシャッタ羽根１０１ａと閉鎖シャッタ羽根ユニット１０２の閉鎖方向先端のシャッタ羽根１０２ａとによって形成されたスリットは、このスリットが同図中フィルム面１００の下端から上端へ移動するまでの間は、この幅を一定時間間隔に保持している。このようにしてフィルム面１００に入射する光量を制御している。
　【０００５】
　【発明が解決すべき課題】
　ところで、このような従来のフォーカルプレーンシャッタにあっては、開放シャッタ羽根１０１ａの後端Ｐと閉鎖シャッタ羽根１０２ａの先端Ｑとは、それぞれシャッタ開口１０３の下端から距離ｌだけ離れて位置している。
　【０００６】
　このような条件で、シャッタが作動すると、開放シャッタ羽根ユニット１０１は開放動作を行ない、開放シャッタ羽根１０１ａの後端Ｐは、図８に示すようにシャッタ開口１０３から距離ｌだけ離れた位置から開口１０３の上端側へ向って加速度的にＰ１、Ｐ２、Ｐ３と移動する。次に閉鎖シャッタ羽根ユニット１０２が閉鎖動作を行ない、シャッタ羽根１０２ａの先端Ｑはシャッタ開口１０３からシャッタ羽根１０１ａの後端Ｐと同じように距離ｌだけ離れた位置からフィルム面１００の上方へ向って、曲線を描きながらＱ１、Ｑ２、Ｑ３と開放シャッタ羽根ユニット１０１と同一の走行特性をもって加速度的に移動する。
　【０００７】
　シャッタの作動初期、中期、後期におけるシャッタ羽根１０１ａの後端Ｐ１、Ｐ２、Ｐ３とシャッタ羽根１０２ａの先端Ｑ１、Ｑ２、Ｑ３との時間差Ｔ１、Ｔ２、Ｔ３は、シャッタ羽根１０１ａの後端Ｐとシャッタ羽根１０２ａの先端Ｑがシャッタ開口から同じ距離ｌだけ離れた位置から移動するために、Ｔ１＝Ｔ２＝Ｔ３となり、スリットの通過時間は等しい。従って、シャッタ開口１０３の下端から上端まで同じ光量の光がフィルム１００に到達することになる。
　【０００８】
　しかしながら、このような構成は平行光線がシャッタ開口１０３から入射される場合には好適であるが、撮影レンズを通過した撮影光線は画面周辺へいくにつれ中央に比べて暗くなる。従って、撮影レンズを通して撮影した場合、画面全域が同じ露出時間になっていると、かえって周辺の露光が不足することになる。
　【０００９】
　【目的】
　この発明はこのような従来のフォーカルプレーンシャッタの難点を解消するためになされたもので、撮影レンズを通した場合に周辺露光不足のないフォーカルプレーンシャッタとその駆動方法を提供することを目的とする。また、本発明は画面の周辺の露出時間を中央付近より長くすることにより画面全域に亘って理想的な露出を実現することのできるフォーカルプレーンシャッタとその駆動方法を提供することを目的とする。
　【００１０】
　【課題を解決するための手段】
　このような目的を達成する本発明のフォーカルプレーンシャッタの駆動方法は、シャッタレリーズ信号により作動してシャッタ開口を開放する開放シャッタ羽根と、
前記開放シャッタ羽根を駆動する開放バネと、
、前記閉鎖シャッタ羽根を駆動する閉鎖バネと
、
が
かつ露出作動初期及び終期の露出時間が露出作動中期の露出時間よりも長くなるように前記閉鎖バネおよび前記開放バネのばね力を調整
　【００１１】
　また本発明のフォーカルプレーンシャッタは、シャッタレリーズ信号により作動してシャッタ開口を開放する開放シャッタ羽根と、
前記開放シャッタ羽根を駆動する開放バネと、
、前記閉鎖シャッタ羽根を駆動する閉鎖バネと
、
かつ露出作動初期及び終期の露出時間が露出作動中期の露出時間よりも長くなるように前記閉鎖バネおよび前記開放バネのばね力を調整
　【００１２】
　【実施例】
　以下、本発明を図面を参照して説明する。図１及び図２は本発明に係るフォーカルプレーンシャッタの一実施例を示す分解斜視図及び側面図である。
　【００１３】
　図１において、カメラに装填されたフィルム面の前方であって撮影レンズ側に配設された基板１には、シャッタ開口１ａが形成されるとともに作動制御室２が形成されており、作動制御室２には後述する電磁石、レバー及び駆動バネ等の駆動部が収納されている。基板１の上にはシャッタ開口１ａを閉鎖するための閉鎖シャッタ羽根ユニット３が載置され、閉鎖シャッタ羽根ユニット３の上にはシャッタ開口４ａが形成された仕切板４が載置され、この仕切板４の上には開放シャッタ羽根ユニット５が載置されている。開放シャッタ羽根ユニット５の上には、間隔羽根６を介してシャッタ開口７ａを有する受板７が載置されている。このようにして、基板１には閉鎖シャッタ羽根ユニット３、仕切板４、開放シャッタ羽根ユニット５、間隔羽根６が組込まれて受板７が取り付けられている。
　【００１４】
　即ち、図２に示すように撮影レンズ側に位置する基板１と、フィルム面８側に位置する受板７とによってシャッタ羽根の収納室を構成し、開放シャッタ羽根ユニット５がフィルム面８側に、閉鎖シャッタ羽根ユニット３が撮影レンズ側に位置することになり、これら開放シャッタ羽根ユニット５と閉鎖シャッタ羽根ユニット３との間に仕切板４が介装されていることになる。
　【００１５】
　ここで閉鎖シャッタ羽根ユニット３と開放シャッタ羽根ユニット５は図に示す実施例では複数のシャッタ羽根５ａ、５ｂ、５ｃ、５ｄ、５ｅ及び３ａ、３ｂ、３ｃ、３ｄ、３ｅを重ね合わせたものである。但し、開放、閉鎖シャッタ羽根ユニット３、５はそれぞれ大きな一枚のシャッタ羽根でもよい。
　【００１６】
　また、開放シャッタ羽根ユニット５は図３に示すように、シャッタ開口７ａを閉鎖した状態（初期状態において）は、シャッタ羽根５ａ、５ｂ、５ｃ、５ｄ、５ｅがそれぞれ一対の平行なリンクをなす羽根アーム９、１０にピン連設されており、この一対の羽根アーム９、１０はピン１１、１２を介して受板７に回動自在に取り付けられている。
　【００１７】
　このような閉鎖及び開放シャッタ羽根ユニット３、５の駆動部の１実施例を図４に示した。図４に示すように、駆動部は主として閉鎖及び開放シャッタ羽根ユニット３、５の各羽根アームを回動させるための閉鎖レバー３０と開放レバー５０、これら閉鎖レバー３０及び開放レバー５０を図示する所定のセット位置に拘止するセットレバー６０、セットレバー６０をセット位置に係止するとともに図示しないミラーの跳ね上がりに連動するセットレバー爪７０及び閉鎖レバー３０及び開放レバー５０をそれぞれ制御するための電磁石４０、８０から構成される。
　【００１８】
　閉鎖レバー３０及び開放レバー５０はそれぞれ駆動バネ３１及び５１によって軸３２、５２を中心として左旋するように付勢されており、この駆動バネ３１、５１のばね力を調整することによりシャッタ羽根の速度を調整することができる。セットレバー６０は、バネ６１によって軸６２を中心として右旋するように付勢されているが、セット動作時にはチャージ部材９０によって駆動され左旋する。また、電磁石４０、８０はその鉄芯４１、８１がそれぞれ閉鎖レバー３０及び開放レバー５０の鉄片３４、５４と吸着或いは非吸着状態となることによって、閉鎖レバー３０及び開放レバー５０の作動を制御する。電磁石４０、８０はそれぞれストッパ９５及びセットレバー６０の回転軸を兼ねたストッパ軸６２によってその位置が規制されている。ストッパ９５は図示しない調整機構によってその位置を図中上下に調整可能に構成されている。なお、図示する構成においてストッパ軸６２はセットレバー６０に突設されているが、ストッパ軸６２もストッパ９５と同様にその位置が調整できるようにしてもよい。
　【００１９】
　このような駆動部はセット動作時には、セットレバー６０が左旋し、その突起６３、６４によって閉鎖レバー３０及び開放レバー５０の各ローラ３３、５３を押圧し、閉鎖レバー３０及び開放レバー５０を右旋させる。これにより閉鎖レバー３０及び開放レバー５０にそれぞれ固定された鉄片３４、５４は電磁石４０、８０の鉄芯４１、８１に圧接し、セットレバー爪７０によってセットレバー６０がセット位置に拘止され、閉鎖レバー３０及び開放レバー５０も拘止される。この状態で、図示しないカメラ側の電気回路によって電磁石４０、８０が励磁されると、閉鎖レバー３０及び開放レバー５０の鉄片３４、５４が、それぞれ電磁石４０、８０の鉄芯４１、８１に吸着される。この状態でミラーの跳ね上がりに連動してセットレバー爪７０が右旋し、セットレバー６０の係止を解いてセットレバー６０が右旋すると、閉鎖レバー３０及び開放レバー５０は電磁石４０、８０の励磁作用下で制御されることになり、電磁石４０、８０がストッパ９５及びストッパ軸６２によって係止された位置が閉鎖レバー３０及び開放レバー５０の始動位置となり、閉鎖及び開放シャッタ羽根ユニット３、５の始動位置を決定する。
　【００２０】
　ところで上述のフォーカルプレーンシャッタは、初期状態（セット位置）において、開放シャッタ羽根ユニット５は伸長しており、開放方向後端のシャッタ羽根５ａがシャッタ開口７ａを覆っており、この後端Ｐ（開放縁）はシャッタ開口７ａから距離ｌ１だけ離れた位置にある。一方、閉鎖シャッタ羽根ユニット３は、シャッタ開口１ａの下方端に収縮しており、閉鎖方向先端のシャッタ羽根３ａの先端Ｑ（閉鎖縁）は、シャッタ開口７ａから距離ｌ２、だけ離れた位置にある。これら距離ｌ１、ｌ２は閉鎖シャッタ羽根ユニット３を駆動する開放レバー駆動用電磁石４０のストッパ９５（及び／又は電磁石８０のストッパ６２）の位置を調整することによって調整することができ、ｌ１＜ｌ２、となるように調整する。これによって後述する各シャッタ羽根の幕速特性を変化させる。
　【００２１】
　一方、各シャッタ羽根５ａ〜５ｅ及び３ａ〜３ｅがシャッタ開口７ａを走行する時間、所謂幕速は、各シャッタ羽根を駆動するばね力５１、３１を調整して両シャッタ羽根について同じになるように調整する。
　【００２２】
　以上のような構成における動作を次に説明する。
　【００２３】
　まず、フィルム巻上げ動作によって、駆動部のチャージ部材９０が作動しセットレバー６０を左旋させ、フォーカルプレーンシャッタは、初期状態（セット位置）に置かれる。この状態でシャッタレリーズ操作を行なうとまず電磁石８０が消磁され開放レバー５０が左旋することにより、開放シャッタ羽根ユニット５のシャッタ羽根５ａ、５ｂ、５ｃ、５ｄ、５ｅが上方へ移動してシャッタ開口７ａを開放し始める。
　【００２４】
　このように開放シャッタ羽根ユニット５が開放作動すると、所定時間経過後に電磁石４０が消磁され閉鎖レバー３０が左旋することにより、閉鎖シャッタ羽根ユニット３のシャッタ羽根３ａ、３ｂ、３ｃ、３ｄ、３ｅが図２中上方へ移動する。このとき開放シャッタ羽根ユニット５のシャッタ羽根５ａの後端Ｐと閉鎖シャッタ羽根ユニット３のシャッタ羽根３ａの先端Ｑとでスリットが形成されるが、このスリットが同図中フィルム面８の下端側から上端側へ移動することによって露出を行なう。
　【００２５】
　この状態の経時変化を図５に示す。即ちまず開放シャッタ羽根ユニット５が開放動作を行なうと、シャッタ羽根５ａの後端Ｐはシャッタ開口７ａの上端側へ向って曲線を描きながらＰ１、Ｐ２、Ｐ３へと加速度的に移動する。次に、閉鎖シャッタ羽根ユニット３が閉鎖作動を行なうと、シャッタ羽根３ａの先端Ｑはシャッタ開口７ａから距離ｌ２だけ離れた位置からフィルム面８の上方へ向って、曲線を描きながらＱ１、Ｑ２、Ｑ３と加速度的に移動する。
　【００２６】
　ここで、開放及び閉鎖の両シャッタ羽根５ａ〜５ｅ及び３ａ〜３ｅは駆動バネ５１、３１のばね力を調整することによりシャッタ羽根がシャッタ開口７ａを走行する時間、所謂幕速が同じになるように調整されている。また、両シャッタ羽根は慣性質量が殆ど同じであるため距離に対して同様の加速度的に移動する走行特性を有する。その結果、開放シャッタ羽根５ａがシャッタ開口７ａの下端部から中央部まで（Ｐ１→Ｐ２間）を走行する時間は、閉鎖シャッタ羽根３ａが同じ範囲（Ｑ１→Ｑ２間）を走行する時間よりも長くなり、逆に開放シャッタ羽根５ａがシャッタ開口７ａの中央部から上端部まで（Ｐ２→Ｐ３間）を走行する時間は、閉鎖シャッタ羽根３ａが同じ範囲（Ｑ２→Ｑ３間）を走行する時間よりも短くなり、図に示すような走行曲線（幕速特性）を描くことになる。図中、破線は閉鎖シャッタ羽根の幕速特性を示すもので、両者の関係を解りやすくするために開放シャッタ羽根の走行曲線（実線）に重ねて記載してある。
　【００２７】
　従って、
露出
露出
露出
　【００２８】
　以上の実施例では、露出時間の設定パルス（所望の露出時間Ｔ０）と
露出
露出
　【００２９】
　従って、Ｔ１、Ｔ３＞Ｔ２＝Ｔ０の関係を成立させるためには、設定パルスとして予め所望露出時間よりも短いパルスを設定しておけばよい。図６に、設定露出時間Ｔ０を所望露出時間よりも短く設定した場合の走行曲線を示す。図からも理解されるように開放シャッタ羽根ユニット５をシャッタ開口７ａに接近させることによって、Ｐ１→Ｐ２までのシャッタ羽根５ａの走行時間が短くなるが、その分設定パルス時間Ｔ０を短くしてあるので、
露出
露出
　【００３０】
　なお、以上の実施例では、開放シャッタ羽根と閉鎖シャッタ羽根のシャッタ開口に対する始動位置を各電磁石のストッパの調整によって異ならせるようにしたが、駆動部の構成が異なる場合にはそれに対応して公知の始動位置調整方法を採用できる。
　【００３１】
　【発明の効果】
　以上の実施例からも明らかなように、本発明によれば、開放シャッタ羽根と閉鎖シャッタ羽根のシャッタ開口に対する始動位置を異ならせるとともにそれぞれが
シャッタ
、かつ露出
露出
したので、
　【００３２】
　さらに、露光量の設定パルスを所望露出時間よりも短く設定することにより、
露出
【図面の簡単な説明】
　【図１】
　本発明に係るフォーカルプレーンシャッタの分解斜視図
　【図２】
　図１のシャッタの側面図
　【図３】
　図１のシャッタ羽根を示す図
　【図４】
　シャッタ駆動部の１実施例を示す図
　【図５】
　図１のシャッタの１実施例による動作を示す図
　【図６】
　図１のシャッタの他の実施例による動作を示す図
　【図７】
　従来のシャッタの側面図
　【図８】
　従来のシャッタの動作を示す図
　【符号の説明】
　３　閉鎖シャッタ羽根ユニット
　３ａ、３ｂ、３ｃ、３ｄ、３ｅ　閉鎖シャッタ羽根
　５　開放シャッタ羽根ユニット
　５ａ、５ｂ、５ｃ、５ｄ、５ｅ　開放シャッタ羽根
　７　シャッタ開口
　Ｐ　開放縁
　Ｑ　閉鎖縁